(57)【要約】【課題】施工効率を高めるコンクリートブロックの提供を課題とする。【解決手段】ブロック塀の笠木または縁石として用いられるコンクリートブロックであって、直方体に形成されたブロック本体と、前記ブロック本体の底面に形成され、モルタルが充填される底面凹部と、前記底面凹部の内面に形成され、固定用金具が嵌合される固定用溝とを有するコンクリートブロックが提供される。【選択図】図１
2014234619.tif 000002
【特許請求の範囲】
【請求項１】
ブロック塀の笠木または縁石として用いられるコンクリートブロックであって、
直方体に形成されたブロック本体と、
前記ブロック本体の底面に形成され、モルタルが充填される底面凹部と、
前記底面凹部の内面に形成され、固定用金具が嵌合される固定用溝とを有することを特徴とするコンクリートブロック。
【請求項２】
前記底面凹部及び前記固定用溝は、前記ブロック本体の底面長手方向に延在形成されることを特徴とする請求項１に記載のコンクリートブロック。
【請求項３】
前記固定用金具は、前記モルタルに挿入される固定部と、前記モルタルの表面に突出する突出部とを有し、
前記固定用溝は、前記固定用金具の突出部に嵌合して固定されることを特徴とする請求項１または２に記載のコンクリートブロック。
【請求項４】
ブロック塀の笠木または縁石として用いられるコンクリートブロックの施工方法であって、
前記ブロック塀の上端または地面にモルタルを盛りつける工程と、
前記モルタルの頂部に固定用金具を配置する工程と、
前記モルタルに対してブロック本体の底面に形成された底面凹部を対向させて前記ブロック本体を前記ブロック塀の上端または地面に押圧して前記モルタルを前記底面凹部に充填させると共に、前記底面凹部の内面に設けられた固定用溝に前記モルタルの表面に突出する前記固定用金具を嵌合させる工程と、
を有することを特徴とするコンクリートブロックの施工方法。
【発明の詳細な説明】
【技術分野】
【０００１】
本発明はコンクリートブロック及びコンクリートブロックの施工方法に関する。
【背景技術】
【０００２】
例えば、ブロック塀の上端に結合される笠木または花壇などの縁石として用いられるコンクリートブロックにおいては、直方体形状のブロック本体の端部間にモルタルを充填して各ブロック同士をモルタルの接着力により接合している（例えば、特許文献１参照）。
【０００３】
また、各ブロックを一列に整列させて各ブロック間を接合するためには、各ブロック間にモルタルを充填するための隙間を設けるか、あるいは互いに隣接する各ブロック本体の端部にモルタルを充填するための凹部を設けていた。
【先行技術文献】
【特許文献】
【０００４】
【特許文献１】特開２０１２−７４０３号公報
【発明の概要】
【発明が解決しようとする課題】
【０００５】
上記従来のコンクリートブロックを用いて各ブロック間の接合強度を高めるには、各ブロック本体の端部間にモルタルを充填するための隙間を確保することが重要であり、各ブロック本体の底面がモルタルで接着された後、各ブロック間の隙間にモルタルを注入することになる。
【０００６】
しかしながら、モルタルの接着力だけでは、長年の耐久性に必ずしも十分でない場合もある。例えば、地震時の歪みによるブロックとモルタルとの接着面剥離につながることがあった。
【０００７】
そこで、本発明は上記事情に鑑み、上記課題を解決したコンクリートブロック及びコンクリートブロックの施工方法の提供を目的とする。
【課題を解決するための手段】
【０００８】
一つの案では、ブロック塀の笠木または縁石として用いられるコンクリートブロックであって、
直方体に形成されたブロック本体と、
前記ブロック本体の底面に形成され、モルタルが充填される底面凹部と、
前記底面凹部の内面に形成され、固定用金具が嵌合される固定用溝とを有することを特徴とするコンクリートブロックが提供される。
【発明の効果】
【０００９】
一態様によれば、ブロック本体の底面凹部にモルタルを充填させて接合強度を高めると共に、底面凹部の内面に設けられた固定用溝に固定用金具を嵌合させて強固に固定できる。そのため、例えば、地震時の歪みによるブロックとモルタルとの接着面剥離を防止して耐久性を高めることができる。
【図面の簡単な説明】
【００１０】
【図１】本発明によるコンクリートブロックの一実施形態の正面図である。
【図２】本発明によるコンクリートブロックの一実施形態の側面図である。
【図３】本発明によるコンクリートブロックの一実施形態の平面図である。
【図４】コンクリートブロックの施工状態を示す縦断面図である。
【図５】コンクリートブロックの施工方法の手順を説明するための工程図である。
【図６】Ｕ字形状の固定用金具を用いてコンクリートブロックをブロック塀の上部に施工する方法を説明するための斜視図である。
【図７】ピン形状の固定用金具を用いてコンクリートブロックをブロック塀の上部に施工する方法を説明するための斜視図である。
【図８】直線形状の固定用金具を用いてコンクリートブロックを縁石として施工する方法を説明するための斜視図である。
【発明を実施するための形態】
【００１１】
以下、図面を参照して本発明を実施するための形態について説明する。
【００１２】
〔実施形態１〕
図１は本発明によるコンクリートブロックの一実施形態の正面図である。図２は本発明によるコンクリートブロックの一実施形態の側面図である。図３は本発明によるコンクリートブロックの一実施形態の平面図である。
【００１３】
図１〜図３に示されるように、コンクリートブロック１０は、ブロック塀の上端に結合される笠木または花壇などの縁石として用いられるものであり、直方体形状のブロック本体２０の底面に円弧形状の底面凹部３０と、底面凹部３０の頂部に設けられた固定用溝４０とを有する。底面凹部３０は、円弧形状の凹部であるが、円弧形状以外の形状（例えば、縦断面形状が四角形状あるいは三角形状）でも良い。また、固定用溝４０は、縦断面形状が逆Ｕ字形状に形成されているが、細長い矩形のスリット形状でも良い。
また、上記底面凹部３０及び固定用溝４０の寸法形状は、顧客の要望、あるいは、固定用金具の適宜変更することが可能である。
【００１４】
底面凹部３０及び固定用溝４０は、ブロック本体２０の長手方向（Ｘ方向）に貫通しており、ブロック本体２０の両端面２２、２４に開口している。また、ブロック本体２０の左右側面２５、２６には、縦方向に延在する複数の凹凸部５０と複数の溝５２が設けられている。尚、凹凸部５０及び溝５２は、外観上のデザインの一種であり、他のデザインと置き換えても良い。
【００１５】
また、ブロック本体２０の上面２８は、平面形状に三本の溝２９が設けられている。この溝２９も外観上のデザインの一種であり、他のデザインと置き換えても良い。
【００１６】
また、コンクリートブロック１０は、複数個が一列に連続するように配置される際の中間部分に施工される。尚、ブロック塀の端部、または縁石の端部においては、上記底面凹部３０及び固定用溝４０が長手方向（Ｘ方向）に貫通しない構成の端部用のコンクリートブロック（図示せず）が施工される。
【００１７】
図４はコンクリートブロックの施工状態を示す縦断面図である。図４に示されるように、コンクリートブロック１０が、ブロック塀６０の上部に笠木として結合される場合、ブロック塀６０の上面凹部６２にモルタル７０が盛りつけられ、当該モルタル７０の頂部に固定用金具８０が垂下方向（Ｚ方向）に挿入される。尚、モルタル７０は、予めブロック本体２０の底面に形成された底面凹部３０に充填しておいても良い。
【００１８】
固定用金具８０は、Ｕ字形状のものとピン形状のものとがあり、夫々モルタル７０に挿入される挿入部８０ａと、挿入部８０ａの上端に設けられモルタル７０の表面に突出する突出部８０ｂとを有する。尚、図４においては、Ｕ字形状のものが図示されている。
【００１９】
固定用金具８０の突出部８０ｂは、コンクリートブロック１０の固定用溝４０に嵌合するように形成されている。そのため、コンクリートブロック１０が底面をブロック塀６０の上面に対向させる向きに載置されると、底面凹部３０及び固定用溝４０にブロック塀６０の上面凹部６２に盛りつけられたモルタル７０が充填されると共に、固定用金具８０の突出部８０ｂが固定用溝４０に嵌合する。尚、固定用金具８０は、挿入部８０ａを予めブロック塀６０の上面凹部６２に盛りつけられたモルタル７０に挿入しても良いし、あるいは突出部８０ｂを予めブロック本体２０の固定溝４０に嵌合させても良い。
【００２０】
そして、モルタル７０が硬化すると、コンクリートブロック１０は、モルタル７０の接着力によりブロック塀６０に固定されると共に、固定用金具８０との嵌合により補強され、且つブロック塀６０に対して強固に固定される。そのため、例えば、地震時の歪みによるコンクリートブロック１０とモルタル７０との接着面剥離を防止して耐久性を高めることができる。
【００２１】
また、固定用溝４０が底面凹部３０の内面に形成されているので、固定用金具８０を底面凹部３０に充填されたモルタル７０によって固定用溝３０に接着することができ、作業効率が高められる。
【００２２】
〔コンクリートブロック１０の施工方法〕
図５はコンクリートブロックの施工方法の手順を説明するための工程図である。図５に示されるように、コンクリートブロックの施工方法は、以下の手順で行う。
【００２３】
Ｓ１１では、モルタル７０をブロック塀６０の上面凹部６２に盛りつける。その際、なるべくブロック塀６０の幅方向（Ｙ方向）の中心部分となる上面凹部６２の上方に盛りつける。
【００２４】
Ｓ１２では、固定用金具８０の挿入部８０ａをモルタル７０の頂部に挿入し、突出部８０ｂをモルタル表面に突出させる。
【００２５】
Ｓ１３では、コンクリートブロック１０の底面に形成された底面凹部３０をブロック塀６０の上面に盛りつけられたモルタル７０に対向させてコンクリートブロック１０を下方に押圧する。これにより、コンクリートブロック１０の底面凹部３０及び固定用溝４０の内部にモルタル７０が隙間無く充填される。尚、コンクリートブロック１０を押圧する前に隣接する他のコンクリートブロック１０との隙間ができるだけ小さくなるように調整する。
【００２６】
Ｓ１４では、さらにコンクリートブロック１０を下方に押圧すると、モルタル７０の頂部に突出する固定用金具８０の突出部８０ｂが固定用溝４０に嵌合する。この後、モルタル７０が、固化すると、コンクリートブロック１０はブロック塀６０に固定される。
【００２７】
尚、隣接するコンクリートブロック１０との間に隙間がある場合には、両コンクリートブロック１０間に目地モルタルを注入しても良い。また、施工前に予めコンクリートブロック１０の底面凹部３０にモルタル７０を充填しても良い。
【００２８】
〔Ｕ字形状の固定用金具を用いた場合の施工方法〕
図６はＵ字形状の固定用金具を用いてコンクリートブロックをブロック塀の上部に施工する方法を説明するための斜視図である。図６（Ａ）に示されるように、ブロック塀６０の上端にモルタル７０を盛りつけた後、各ブロック塀６０の各ブロック間の境界を跨ぐようにＵ字形状の固定用金具８０を配置する。そして、固定用金具８０の一対の挿入部８０ａをモルタル７０の頂部に挿入する。モルタル７０の頂部の表面には、固定用金具８０の突出部８０ｂが長手方向（Ｘ方向）に延在している。
【００２９】
図６（Ｂ）に示されるように、コンクリートブロック１０がブロック塀６０の上部に載置されると、長手方向（Ｘ方向）の両端部分の固定用溝４０に固定用金具８０の突出部８０ｂが嵌合する。これにより、コンクリートブロック１０は、底面に形成された底面凹部３０がモルタル７０に接着されると共に、固定用溝４０の長手方向（Ｘ方向）の両端部分に固定用金具８０の突出部８０ｂが嵌合して補強される。そして、コンクリートブロック１０は、モルタル７０が固化することで、ブロック塀６０に強固に固定される。そのため、例えば、地震時の歪みによるコンクリートブロック１０とモルタル７０との接着面剥離を防止して耐久性を高めることができる。
【００３０】
また、当該施工方法においても、固定用溝４０が底面凹部３０の内面に形成されているので、固定用金具８０を底面凹部３０に充填されたモルタル７０によって固定用溝３０に接着することができ、作業効率が高められる。
【００３１】
〔ピン形状の固定用金具を用いた場合の施工方法〕
図７はピン形状の固定用金具を用いてコンクリートブロックをブロック塀の上部に施工する方法を説明するための斜視図である。図７（Ａ）に示されるように、ブロック塀６０の上端にモルタル７０を盛りつけた後、各ブロック塀６０の各ブロックの中間部分にピン形状の固定用金具８０Ａを垂直方向（Ｚ方向）となるようにモルタル７０の頂部に配置し、挿入部８０ａをモルタル７０に挿入する。これにより、モルタル７０の頂部の表面には、固定用金具８０Ａの突出部８０ｂが上方向に突出する。尚、ピン形状の固定用金具８０Ａは、各ブロックに対して少なくとも１本設けられているが、望ましくは各ブロック毎に二本、より望ましくは各ブロック毎に三本といった具合に複数本がモルタル７０の頂部に挿入されていればコンクリートブロック１０の結合強度がより一層高められる。
【００３２】
図７（Ｂ）に示されるように、コンクリートブロック１０がブロック塀６０の上部に載置されると、固定用溝４０に固定用金具８０Ａの突出部８０ｂが嵌合する。これにより、コンクリートブロック１０は、底面に形成された底面凹部３０がモルタル７０に接着されると共に、固定用溝４０に固定用金具８０Ａの突出部８０ｂが嵌合して補強される。そして、コンクリートブロック１０は、モルタル７０が固化することで、ブロック塀６０に強固に固定される。そのため、例えば、地震時の歪みによるコンクリートブロック１０とモルタル７０との接着面剥離を防止して耐久性を高めることができる。
【００３３】
また、当該施工方法においても、固定用溝４０が底面凹部３０の内面に形成されているので、固定用金具８０Ａを底面凹部３０に充填されたモルタル７０によって固定用溝３０に接着することができ、作業効率が高められる。
【００３４】
〔直線形状の固定用金具を用いて複数のコンクリートブロックを連結する施工方法〕
図８は直線形状の固定用金具を用いてコンクリートブロックを縁石として施工する方法を説明するための斜視図である。図８（Ａ）に示されるように、コンクリートブロック１０を例えば、花壇の縁石として施工する場合、地面または路面にモルタル７０を直線状に盛りつける。そして、モルタル７０の頂部に直線状の固定用金具８０Ｂを挿入する。
【００３５】
固定用金具８０Ｂは、断面が丸形状とされた金属棒であり、水平方向（Ｘ方向）に延在するように横向きにしてモルタル７０の上部に配置される。そのため、固定用金具８０Ｂは、丸形状とされた断面の下半分がモルタル７０に挿入され、断面の上半分がモルタル７０の表面に突出する。
【００３６】
図８（Ｂ）に示されるように、コンクリートブロック１０の底面凹部３０をモルタル７０に対向させてコンクリートブロック１０Ａを下方に押圧する。コンクリートブロック１０Ａの底面凹部３０にモルタル７０が充填されると共に、固定用溝４０に固定用金具８０Ｂが嵌合する。
【００３７】
図８（Ｃ）に示されるように、次に別のコンクリートブロック１０Ｂの底面凹部３０をモルタル７０に対向させてコンクリートブロック１０Ｂを下方に押圧する。コンクリートブロック１０Ｂの底面凹部３０にモルタル７０が充填されると共に、固定用溝４０に固定用金具８０Ｂが嵌合する。これでコンクリートブロック１０Ａの隣りに別のコンクリートブロック１０Ｂが固定される。
【００３８】
また、当該施工方法においても、固定用溝４０が底面凹部３０の内面に形成されているので、固定用金具８０Ｂを底面凹部３０に充填されたモルタル７０によって固定用溝３０に接着することができ、作業効率が高められる。
【００３９】
また、各コンクリートブロック１０Ａ、１０Ｂは、夫々の固定用溝４０が一本の金属棒からなる固定用金具８０Ｂに嵌合固定されるため、直線状に整列されるように位置決めると共に、強固に連結される。そのため、例えば、地震時の歪みによるコンクリートブロック１０Ａ、１０Ｂとモルタル７０との接着面剥離を防止して耐久性を高めることができる。
【００４０】
尚、固定用金具８０Ｂは、モルタル７０の頂部に載置しても良いし、あるいは予め各コンクリートブロック１０の固定用溝４０に嵌合させてから、底面凹部３０にモルタル７０を充填させても良い。
【００４１】
また、各コンクリートブロック１０を縁石として一列に施工する際の向きは、施主の希望に応じて任意の向きに施工することが可能である。例えば、各コンクリートブロック１０の底面凹部３０及び固定用溝４０が底面側（地面または舗装面側）を向くように施工しても良いし、あるいは、底面凹部３０及び固定用溝４０が側面（例えば、花壇側）を向くように施工しても良い。
【符号の説明】
【００４２】
１０  コンクリートブロック
２０  ブロック本体
３０  底面凹部
４０  固定用溝
５０  凹凸部
６０  ブロック塀
７０  モルタル
８０、８０Ａ、８０Ｂ  固定用金具
８０ａ  挿入部
８０ｂ  突出部
【図１】
2014234619.tif 000003
【図２】
2014234619.tif 000004
【図３】
2014234619.tif 000005
【図４】
2014234619.tif 000006
【図５】
2014234619.tif 000007
【図６】
2014234619.tif 000008
【図７】
2014234619.tif 000009
【図８】
2014234619.tif 000010